(57)【要約】【課題】安全上の問題や消費電力の無駄の問題を回避することができるとともに、蛍光灯からＬＥＤ照明器具に換装する場合にも比較的簡単な工事で設置することができ、設置費用も安価ですむ上に、それまでの蛍光灯のときの部屋の雰囲気を維持することができるといった長所を維持することができるＬＥＤ照明器具を提供する。【解決手段】直管蛍光ランプ形状を有し、複数のＬＥＤ素子を配置したＬＥＤランプ部と、前記ＬＥＤランプ部の両端にそれぞれ備えられ、直管型蛍光灯灯具のソケットに取り付け可能で電気的機能を果たさない支持ピンを備えた一対のエンドキャップ部とを有するＬＥＤ照明器具を提供する。【選択図】図１
2012174362.tif 000002
【特許請求の範囲】
【請求項１】
直管蛍光ランプ形状を有し、複数のＬＥＤ素子を配置したＬＥＤランプ部と、
前記ＬＥＤランプ部の両端にそれぞれ備えられ、直管型蛍光灯灯具のソケットに取り付け可能で電気的機能を果たさない支持ピンを備えた一対のエンドキャップ部と、
を有するＬＥＤ照明器具。
【請求項２】
前記エンドキャップ部の支持ピンにかぶせて支持ピンを保護する着脱自在な支持ピンカバーをさらに有する請求項１に記載のＬＥＤ照明器具。
【請求項３】
直管型蛍光灯灯具で支持ピンが支持されない状態での落下防止のために自身を直管型蛍光灯灯具に連結するための連結ひもをさらに有する請求項１又は２に記載のＬＥＤ照明器具。
【発明の詳細な説明】
【技術分野】
【０００１】
本発明は、ＬＥＤ照明器具に関し、特に、既設の直管型蛍光灯灯具にそのまま取り付けることも可能なＬＥＤ照明器具に関する。
【背景技術】
【０００２】
近年、蛍光灯に代わってＬＥＤランプが急速に普及しつつある。ＬＥＤランプは、蛍光灯に比べて消費電力が少なく、寿命も長いといった長所がある。また、このＬＥＤランプを取り付ける際に、既設の蛍光灯灯具をそのまま用いて、ランプだけを蛍光ランプからＬＥＤランプに交換するだけでＬＥＤ照明器具として設置することを可能にしたものも見られる。例えば特許文献１には、蛍光管のワット数に応じた規定の長さに設定され、蛍光管を取り外してそのまま既設の蛍光灯器具に簡単に取付けることができる蛍光灯型ＬＥＤ照明器具が開示されている（特許文献１参照）。このような蛍光灯代替型のＬＥＤ照明器具は、比較的簡単な工事で設置することができ、設置費用も安価ですむ上に、それまでの蛍光灯のときの部屋の雰囲気を維持することができるといった長所がある。
【先行技術文献】
【特許文献】
【０００３】
【特許文献１】特開２００１‐３５１４０２号公報
【発明の概要】
【発明が解決しようとする課題】
【０００４】
ところで、蛍光灯には、一般に、ランプ電流値を制御するとともにランプの点灯に必要な始動電圧と電極に適正な予熱電圧を供給するための安定器が備えられている。例えば、ラピッドスタート型の蛍光灯の場合、始動補助導体を持ったラピッドスタート形ランプと、予熱巻線を備えた電磁安定器の一種であるラピッド安定器との組み合わせによりランプの点灯を行うようにしている。また、インバータ式の蛍光灯の場合、高周波点灯用の電子式安定器を用いたインバータ回路によりランプの点灯を行うようにしている。
【０００５】
しかしながら、従来の蛍光灯型ＬＥＤ照明器具は、単に蛍光ランプをＬＥＤランプに交換するだけであり、ＬＥＤランプを従来の蛍光灯灯具に電気的に接続して使用するものであるため、蛍光灯灯具に備えられた安定器をそのまま使用して点灯動作等を行うものとなっていた。このため、ＬＥＤ照明器具自体に備えられている安定器と蛍光灯灯具の安定器とが重畳的に作用することにより火災事故などを引き起こすおそれがあり、この結果、電気用品安全法（いわゆるＰＳＥ法）に基づく技術基準をクリアすることも困難であった。また、かかる安全上の問題のほかにも、蛍光灯灯具の安定器自体も７−１１Ｗ程度の電力を消費するため、無駄に電力を消費してしまうという問題があった。
【０００６】
このような安全上の問題や消費電力の無駄の問題を回避するため、蛍光ランプからＬＥＤランプへの交換に際して、蛍光灯灯具に備えられた安定器を取り外すという方法が用いられることもあった。しかし、この方法は、工事に手間と費用がかかり、特に一般家庭では簡単に行うことができないという問題があった。このような問題点は、比較的簡単な工事で設置することができ設置費用も安価ですむという折角の蛍光灯代替型ＬＥＤ照明器具の長所を減殺するものであり、ＬＥＤ照明器具の一般家庭への普及の妨げともなりかねないものである。
【０００７】
そこで、本発明の解決すべき課題は、安全上の問題や消費電力の無駄の問題を回避することができるとともに、蛍光灯からＬＥＤ照明器具に換装する場合にも比較的簡単な工事で設置することができ、設置費用も安価ですむ上に、それまでの蛍光灯のときの部屋の雰囲気を維持することができるといった長所を維持することができるＬＥＤ照明器具を提供することにある。
【課題を解決するための手段】
【０００８】
以上の課題を解決するため、第一の発明は、直管蛍光ランプ形状を有し、複数のＬＥＤ素子を配置したＬＥＤランプ部と、前記ＬＥＤランプ部の両端にそれぞれ備えられ、直管型蛍光灯灯具のソケットに取り付け可能で電気的機能を果たさない支持ピンを備えた一対のエンドキャップ部とを有するＬＥＤ照明器具を提供する。
【０００９】
また、第二の発明は、第一の発明を基礎として、前記エンドキャップ部の支持ピンにかぶせて支持ピンを保護する着脱自在な支持ピンカバーをさらに有するＬＥＤ照明器具を提供する。
【００１０】
また、第三の発明は、第一または第二の発明を基礎として、直管型蛍光灯灯具で支持ピンが支持されない状態での落下防止のために自身を直管型蛍光灯灯具に連結するための連結ひもをさらに有するＬＥＤ照明器具を提供する。
【発明の効果】
【００１１】
本発明により、安全上の問題や消費電力の無駄の問題を回避することができるとともに、蛍光灯からＬＥＤ照明器具に換装する場合にも比較的簡単な工事で設置することができ、設置費用も安価ですむ上に、それまでの蛍光灯のときの部屋の雰囲気を維持することができるといった長所を維持することができるＬＥＤ照明器具を提供することが可能となる。
【図面の簡単な説明】
【００１２】
【図１】実施例１のＬＥＤ照明器具の形状の一例を示す斜視図
【図２】実施例１のＬＥＤ照明器具のＬＥＤランプ部のＬＥＤ素子の配置の一例を示す斜視図
【図３】ＬＥＤ照明器具における電力供給経路の一例を示す概念図
【図４】図１の分解斜視図
【図５】本体コネクター部を有するＬＥＤ照明器具の形状の一例を示す斜視図
【図６】実施例１のＬＥＤランプ照明装置のエンドキャップ部の形状の一例を示す図
【図７】実施例２のＬＥＤ照明器具に支持ピンカバーを取り付けた状態の形状の一例を示す図
【図８】実施例３のＬＥＤ照明器具の形状の一例を示す斜視図
【図９】二本の蛍光灯を取り付けるタイプの蛍光灯灯具におけるＬＥＤ照明器具等の取付け例
【図１０】実施例１のＬＥＤ照明器具の形状の一例を示す斜視図
【符号の説明】
【００１３】
０１００      ＬＥＤ照明器具
０１１０      ＬＥＤランプ部
０１１１      管体
０１１２      上側半体
０１１３      下側半体
０１２０ａ    エンドキャップ部（左側）
０１２０ｂ    エンドキャップ部（右側）
０１２２      支持ピン
０１３０      電力線
０７２８      支持ピンカバー
０８２９      連結ひも
０８２９ａ    ストッパー
【発明を実施するための形態】
【００１４】
以下に、本発明の実施例を説明する。実施例と請求項の相互の関係は以下のとおりである。実施例１は主に請求項１などに関し、実施例２は主に請求項２などに関し、実施例３は主に請求項３などに関する。なお、本発明はこの実施例に何ら限定されるものではなく、その要旨を逸脱しない範囲において、種々なる態様で実施しうる。
【実施例１】
【００１５】
<概要>
【００１６】
本実施例のＬＥＤ照明器具は、直管蛍光ランプ形状を有し、複数のＬＥＤ素子を配置したＬＥＤランプ部と、前記ＬＥＤランプ部の両端にそれぞれ備えられ、直管型蛍光灯灯具のソケットに取り付け可能で電気的機能を果たさない支持ピンを備えた一対のエンドキャップ部とを有するものである。このため、電源から電力の供給を受けるだけで独立した器具として用いることもできるし、これを既設の直管型蛍光灯灯具のソケットに取り付けて使用することもできる。後者の場合であっても、ソケットに取り付けるための支持ピンは電気的機能を果たさず単にＬＥＤ照明器具を保持するためだけのものであるから、蛍光灯灯具の安定器がＬＥＤ照明器具自体に備えられている安定器と重畳的に作用することはなく、安全上の問題を回避することができる。
【００１７】
<構成>
【００１８】
（照明装置全般）
【００１９】
図１は、本実施例のＬＥＤ照明器具の形状の一例を示す斜視図である。本図に示すように、本実施例に係るＬＥＤ照明器具０１００は、ＬＥＤランプ部０１１０と、一対のエンドキャップ部０１２０ａ、０１２０ｂとからなる。
【００２０】
（ＬＥＤランプ部）
【００２１】
（全般）
【００２２】
ＬＥＤランプ部は、直管蛍光ランプ形状を有し、複数のＬＥＤ素子を配置したものである。
【００２３】
ＬＥＤランプ部の具体的構成は、公知の直管蛍光ランプ形状のＬＥＤランプと同様であり、例えば、透明ないし半透明のプラスチック製の円筒形状の管体０１１１の内部に外部電源から回路基板を介して給電されて発光する複数のＬＥＤ素子を、回路基板上にアレイ状に配置する。円筒形状の管体は例えば単一素材のものが考えられ、この場合、射出成形によって一体に形成したものであってもよい。あるいは、例えば、上側半体をアルミニウムなどの金属製、下側半体をポリカーボネイトなどのプラスチック製にするといったように異なる素材を組み合わせたものであってもよい。図１に示したものはこの例であり、管体０１１１は金属製の上側半体０１１２とプラスチック製の下側半体０１１３を組み合わせたものである。この例の場合には、上側半体に金属製素材を用いることで、管体の強度を増すことや、ＬＥＤ素子の発光を下（室内の床面側）に反射した際の照明効率を上げること、さらには、金属製部分を回路基板に接触させることで、発光に伴い発生する熱を回路基板から金属製部分に伝導させて放熱効果を高めることができる。
【００２４】
従来のＬＥＤ照明器具と同様、本発明のＬＥＤ照明器具にも、安定器、ＡＣ／ＤＣコンバーター（整流器）、コンデンサーなどが備えられる。その配置場所は適宜設計されればよいが、例えば、ソケット部の筐体内やＬＥＤランプ部を構成する管体の内部（例えば図１に示される上側半体内）に配置される。
【００２５】
かかる構成により、本発明のＬＥＤ照明器具は独立した器具としての機能を備えており、電源からの電力の供給を受けさえすれば、他の附属的な部材を要せずに照明機能を発揮することができる。電源から電力供給を受けるための手段としては、図１に示したように、単にＬＥＤ回路基板に接続された電力線０１３０をＬＥＤ照明器具の外部に一部露出させるなどにより備えるだけでよく、この電力線を電源からの電力線に接続すれば、電源からの電力がこれら電力線を介してＬＥＤ回路基板、さらにはＬＥＤ素子に供給されて、ＬＥＤ素子を光らせることができる。
【００２６】
（ＬＥＤ素子の配置例）
【００２７】
ＬＥＤ素子は、電流を流すことで光を発する半導体素子であり、ＬＥＤランプ部の回路基板上に複数配置される。配置の仕方に限定はないが、通例、直管軸方向にアレイ状に並べられる。
【００２８】
図２は、本実施例のＬＥＤ照明器具のＬＥＤランプ部のＬＥＤ素子の配置の一例を示す斜視図である。図２（ｂ）は、従来のＬＥＤランプにおけるＬＥＤ素子の並べ方の典型例と同様の配置例を示す。本図の例では、ＬＥＤランプ部のＬＥＤ素子０２１４（煩雑を避けるため１個のＬＥＤ素子にのみ符号を付した）は、回路基板０２１５上に複数のものが直管軸方向にアレイ状に並べられている。ここで、「直管軸方向」とは、図中矢印Ａ−Ａ´で示す方向、即ち直管型ランプの長手方向をいう。
【００２９】
図２（ａ）は、本実施例のＬＥＤ照明器具のＬＥＤランプ部のＬＥＤ素子の別の配置の一例を示す。本図の例では、ＬＥＤランプ部のＬＥＤ素子のそれぞれが直管軸方向に並べられるとともに、直管軸に垂直な方向で隣接するＬＥＤ素子どうしが重なるように斜めに配置されている。即ち、この例では、従来のＬＥＤランプの場合と異なり、直管軸に垂直な方向で隣接するＬＥＤ素子どうしが重なるように斜めに配置されている。図２（ａ）に即して言えば、「直管軸に垂直な方向」は、図中矢印Ｂ−Ｂ´で示す方向であり、この方向で「隣接するＬＥＤ素子どうしが重なるように斜めに配置される」とは、この方向を示すライン上（本図で言えば垂直ライン上）において、ある一つのＬＥＤ素子（本図ではＬＥＤ素子０２１４ａ）が左右に占める幅（本図ではＬ１で示される幅）と、その右隣のＬＥＤ素子（本図ではＬＥＤ素子０２１４ｂ）が左右に占める幅（本図ではＬ２で示される幅）が一部重複（本図ではＬ３で示される幅が重複）しており、このため個々のＬＥＤ素子の向きが、直管軸に対して斜め方向に配置されている。この点で、図２（ｂ）に示すように従来のＬＥＤ素子の配置が垂直ライン上で重なることがなく、ＬＥＤ素子が直管軸に対して平行な向きに配置されているのとは異なる。
【００３０】
本実施例のＬＥＤランプ部のＬＥＤ素子はこの図２（ａ）のような配置になっていてもよい。このような配置とすることの目的は、既設の直管型蛍光灯灯具に取り付けて使用する場合に、蛍光灯のときの部屋の雰囲気をより一層それまでと変わらないように維持することにある。この点、図２（ｂ）に示したような従来のＬＥＤ素子の配置のしかたでは、管体の少なくとも下側部分が透明プラスチック製の場合に、各ＬＥＤ素子の間隔が空いているため、ＬＥＤ素子が点々と並んでいる状態に見え、それまでの蛍光灯のときと比べて違和感が生じてしまう。管体の下側部分を半透明のプラスチック製とすればこのような違和感をなくすことができるが、照明効率を高めるためには管体の下側部分は透明の方が望ましい。
【００３１】
そこで、図２（ａ）に示したような配置とすれば、管体の下側部分を透明のプラスチック製にした場合であっても、肉眼ではすべてのＬＥＤ素子がつながって光っているように見えるので、それまでの蛍光灯のときと比べて違和感がなくなり、蛍光灯のときの部屋の雰囲気をより一層それまでと変わらないように維持することができる。従って、ＬＥＤ素子どうしが互いに接触して配置されている必要はないが、肉眼ではすべてのＬＥＤ素子がつながって光っているように見える程度に狭い間隔で並べられている必要がある。
【００３２】
なお、図２（ａ）では、各ＬＥＤ素子の平面の形状が略長方形のものである例で示したが、ＬＥＤ素子の形状はこのようなものに限られず、例えば、略楕円形や長方形以外の略多角形などであってもよい。これらの場合における「直管軸に垂直な方向で隣接するＬＥＤ素子どうしが重なるように斜めに配置される」ことの具体的な意味は、上の略長方形の場合と同様に考えればよく、例えば、ＬＥＤ素子の平面の形状が略楕円形の場合であれば、隣接するＬＥＤ素子どうしの左右に占める幅が一部重複するとともに、長径および短径の向きが斜めに傾いていることを意味する。
【００３３】
（電力供給経路）
【００３４】
以上に説明したように、本発明のＬＥＤ照明器具では、電源から入力された電力は、蛍光灯灯具の安定器を介することなく、直接回路基板に供給され、さらに回路基板上に配置された複数のＬＥＤ素子に供給されてこれらＬＥＤ素子を発光させるように構成されている。ここで、改めて、本発明における電力の供給経路を従来の蛍光灯型ＬＥＤ照明器具における電力の供給経路と比較して説明する。
【００３５】
図３は、ＬＥＤ照明器具における電力供給経路の一例を示す概念図である。このうち図３（ａ）は本発明のＬＥＤ照明器具における電力供給経路を示し、図３（ｂ）は従来の蛍光灯型ＬＥＤ照明器具における電力供給経路を示す。
【００３６】
図３（ｂ）に示すように、従来の装置では、ＬＥＤランプ０３１０が蛍光灯灯具のソケット０３７０に電気的に接続される。このため、一次電源０３００から導入された電力は、蛍光灯灯具に備えられた安定器（図中に蛍光灯灯具安定器０３８０として表示）を介するとともに、ＬＥＤ照明器具自身が備える安定器、ＡＣ／ＤＣコンバーター、コンデンサーなど（図中にＡＣ／ＤＣコンバーター０３９０と略して表示）も介してＬＥＤランプのＬＥＤ回路基板０３９１に供給される（なお、本図では典型例である一次電源から電力を供給する例で示したが、バッテリー等から供給する場合も同様である）。このため、既述のようにＬＥＤランプ自体に備えられている安定器、ＡＣ／ＤＣコンバーター、コンデンサーなどと蛍光灯灯具の安定器が重畳的に作用することにより火災事故などを引き起こすおそれがあったわけである。
【００３７】
これに対し、図３（ａ）に示す本発明の装置では、ＬＥＤランプ０３１０として示したものが本発明のＬＥＤ照明器具にあたり、独立した器具をなしている。このため、一次電源０３００から電力供給を受けるだけで照明器具としての機能を果たすことができる（即ち、本段落および次段落で「ＬＥＤランプ」と称するものは「ＬＥＤ照明器具」と同義である）。本図にはＬＥＤランプが既設の蛍光灯灯具に取り付けられる場合を想定して蛍光灯灯具ソケット０３７０および蛍光灯灯具安定器０３８０が描かれているが、ＬＥＤランプがこれらに電気的に接続されることはない。従って、ＬＥＤランプを独立した器具として用いる場合の図を示す場合には、本図から単純に蛍光灯灯具ソケットおよび蛍光灯灯具安定器を除外すればよい。
【００３８】
なお、本図の例のようにＬＥＤランプを蛍光灯灯具のソケットに取り付けて使用する場合にも、単にＬＥＤランプが落下しないようにするための支持具として蛍光灯灯具のソケットを利用するにすぎない。このため、一次電源０３００から例えばコネクター０３３０（本図では、後述する電源コネクターと本体側コネクターを利用する場合を想定し、これらを合わせた概念として表示した）を介して導入された電力は、蛍光灯灯具に備えられた安定器０３８０を介することなく、直接ＬＥＤランプ自身が備えるＡＣ／ＤＣコンバーター０３９０を経由してＬＥＤランプのＬＥＤ回路基板０３９１に供給される。このため、ＬＥＤランプ自体に備えられている安定器、ＡＣ／ＤＣコンバーター、コンデンサーなどと蛍光灯灯具の安定器が重畳的に作用することにより火災事故などを引き起こすおそれが回避できることになる。このことは、ＬＥＤランプを既設の蛍光灯灯具に取り付けることなく独立した器具として用いる場合においても全く同様である。
【００３９】
なお、外部電源からの電力線とＬＥＤ照明器具側に備えられる電力線の接続方法としては、例えば単に双方の電力線をねじってつなぐだけでもよいが、ＬＥＤ照明器具側に備えられる電力線の先端にプラグを取り付け、これを外部電源側に備えられる電力線の先端に設けられたコンセントに差し込んで接続するようにしてもよい。あるいは、電源からの電力線に接続された電源コネクターとＬＥＤ照明器具側に設けられた本体コネクター部を利用してもよい。最後の構成については改めて後述する。
【００４０】
（器具としての使い方）
【００４１】
上述のように、本発明のＬＥＤ照明器具は独立した器具としての機能を備えており、電源からの電力の供給を受けさえすれば、他の附属的な部材を要せずに照明機能を発揮することができるから、これを使用する場合には、この形状のまま、即ち、次に述べるエンドキャップ部に備えられている支持ピンを露出させたまま使用することもできる。前出の図１に示したものはこのような例である。例えば、この形状のままテーブルの上に置いたり壁に立て掛けたりして使用してもよいし、あるいは、床や専用台などに支持ピンの形状、寸法に合わせた孔を穿ち、ここに支持ピンを差し込むことでＬＥＤ照明器具を直立させて保持する形で使用してもよい。あるいは、美観や器具の保護などにより配慮する形で、例えばエンドキャップ部の支持ピンにカバーをかぶせて使用してもよい。かかる例については別の実施例にて後述する。なお、この場合、当該カバーがＬＥＤ照明器具の保持台を兼ねていてもよい。
【００４２】
あるいは、ＬＥＤ照明器具を専用の保持装置に取り付けて使用するようにしてもよい。
【００４３】
もちろん、既設の直管型蛍光灯灯具に取り付けて使用してもよく、直管型蛍光灯灯具のソケットに取り付け可能な支持ピンを備えるようにしたのは、まさにこのような使い方を可能にするためである。
【００４４】
このようにＬＥＤ照明器具の器具としての使い方には様々な形態が考えられるが、いずれの場合においても、外部電源からの電力線とＬＥＤ照明器具側に備えられる電力線の接続方法については、上に述べたすべての方法を適用可能である。
【００４５】
（直管型蛍光ランプ）
【００４６】
本発明において「直管蛍光ランプ」とは、従来型の直管蛍光ランプをいい、より詳細には、ＪＩＳＣ７６１７−２「直管蛍光ランプ−第２部：性能規定」の２．３．１「データシートのリスト」に規定された直管蛍光ランプをいう。このように本発明におけるＬＥＤランプ部の形状を従来型の直管蛍光ランプ形状としているのは、かかる従来型の直管蛍光ランプをとりつけるための直管型蛍光灯灯具にそのまま取り付けることができるようにするためである。即ち、本発明において「直管型蛍光灯灯具」とは、上述のような従来型の直管蛍光ランプを取り付けて使用することが可能な形状、寸法、機能を有する蛍光灯灯具をいう。
【００４７】
このようにＬＥＤランプ部を直管蛍光ランプ形状を有するものとすることにより、既設の直管型蛍光灯灯具に取り付けて使用する場合であっても、比較的簡単な工事でＬＥＤ照明器具を設置することができ、設置費用も安価ですみ、資源の無駄遣いを防ぐこともできる。また、このように既設の直管型蛍光灯灯具に取り付けて使用する場合には、それまでの蛍光灯のときの部屋の雰囲気を維持することもできるといった蛍光灯代替型ＬＥＤ照明器具の長所を発揮することも可能となる。
【００４８】
なお、次に述べるように、ＬＥＤランプ部の両端には一対のエンドキャップ部が備えられ、その支持ピン（直管蛍光ランプの端子に相当）によって従来型の蛍光灯灯具に取り付けられるように構成されるので、本発明のＬＥＤランプ部の管長はこの一対のエンドキャップ部を含めて従来型の蛍光灯灯具に取り付け可能な寸法に規制される。
【００４９】
図４は、図１の分解斜視図である。説明の便宜上、図１で右側に現れるエンドキャッ
プ部０１２０ｂの図示は省略した。本図においてＬＥＤランプ部０２１０を構成する管体０２１１は、金属製の上側半体０２１２と、プラスチック製の下側半体０２１３とに分割されている。両半体は、例えば接着剤で接合される。また、本図に示す例では、管体の金属製部分が内側への張り出し部分０２１２ａを備えており、この部分で回路基板（図示を省略）に接触することで、放熱効果を高めることを可能にしている。
【００５０】
ＬＥＤランプ部とエンドキャップ部との接合も例えば接着剤を用いればよい。あるいは、ＬＥＤランプ部とエンドキャップ部が独立して回動可能になるようにしてもよい。
【００５１】
さらに、本図に示すように、ＬＥＤランプ部０２１０とエンドキャップ部０２２０ａとの間に、例えばポリ塩化ビフェニールなどのプラスチックを素材とする円形状基板０２７０を介在させて両者を接合するようにしてもよい。かかる基板を介在させることで、上述のようにＬＥＤランプ部とエンドキャップ部が独立して回動可能になるようにした場合に、電力線の回路基板との接触部分が断線しにくくなるという効果がある。  ＬＥＤランプ部とエンドキャップ部との接合には例えば接着剤を用いればよい。あるいは、ＬＥＤランプ部とエンドキャップ部が独立して回動可能になるようにしてもよい。かかる構成の具体例については後述する。
【００５２】
さらに、本図に示すように、ＬＥＤランプ部０２１０とエンドキャップ部０２２０ａとの間に、例えばポリ塩化ビフェニールなどのプラスチックを素材とする円形状基板０２７０を介在させて両者を接合するようにしてもよい。かかる基板を介在させることで、上述のようにＬＥＤランプ部とエンドキャップ部が独立して回動可能になるようにした場合に、電力線の回路基板との接触部分が断線しにくくなるという効果がある。
【００５３】
（エンドキャップ部）
【００５４】
図１に戻り、エンドキャップ部０１２０ａ、０１２０ｂは、前記ＬＥＤランプ部の両端にそれぞれ備えられる一対の部材であり、直管型蛍光灯灯具のソケットに取り付け可能前記ＬＥＤランプ部の両端にそれぞれ備えられ、直管型蛍光灯灯具のソケットに取り付け可能で電気的機能を果たさない支持ピン０１２２を備える。
【００５５】
エンドキャップ部の主な目的は、ＬＥＤランプを従来型の蛍光灯灯具にそのまま取り付けることができるようにすることにある。従って、エンドキャップ部は、ＬＥＤランプとほぼ同一の管径を有する円筒形状の部材であり、その長さは、当該エンドキャップを両端に備えたＬＥＤランプ部を従来型の蛍光灯灯具にそのまま取り付けることができる長さに規制される。エンドキャップ部の材質に特に限定はないが、例えば金属製のものが用いられる。
【００５６】
（支持ピン）
【００５７】
支持ピン０１２２は、一対のエンドキャップ部のそれぞれの外側（従来型の蛍光灯灯具のソケット側）の端部に備えられる。この支持ピンは直管型蛍光灯灯具のソケットにＬＥＤランプ部およびエンドキャップ部をそのまま取り付けることを可能にするためのものである。即ち、この支持ピンは、公知の蛍光灯型ＬＥＤ照明器具における従来型の蛍光灯灯具のソケットに電気的に接続するために備えられる端子に相当するものである。従って、支持ピンの寸法・形状は、従来型の蛍光灯灯具のソケットに取り付け可能な寸法・形状を有するものであり、具体的にはＪＩＳＣ７６０１「蛍光ランプ（一般照明用）」に規定されたＧ１３に係る口金が該当する。
【００５８】
公知の蛍光灯型ＬＥＤ照明器具の端子との違いは、支持ピンが電気的機能を果たさない点にある。「電気的機能を果たさない」とは、蛍光灯灯具のソケットに電気的に接続されるのではなく、単に蛍光灯灯具に対してＬＥＤランプ部を保持するための支持具として利用するために接続されるのにすぎず、支持ピンを介してＬＥＤランプ部とソケットの間に電気が流れることはないという意味である。
【００５９】
上の目的を達成するためには、支持ピンがＬＥＤ照明器具の他の部材と絶縁されている必要があり、このような構成とすることで、仮にソケットからの電流が支持ピンに流れても、この電流が支持ピンを介してＬＥＤランプ部に流れることを防ぐことができる。具体的には、例えば、ＬＥＤ照明器具のＬＥＤランプ部を構成する上側半体が導電性の金属製である場合に、支持ピンがこれに接触して電気回路がショートすることなどがないようにする必要がある。同様に、支持ピンが導電性の部材で構成されている場合に、二本の支持ピンどうしが互いに接触することがないようにする必要がある。このように支持ピンはエンドキャップ部のところにおいて完全に絶縁されているように構成される。
【００６０】
支持ピンの素材には特に限定はなく、鉄、ステンレスなどの金属のほか、セラミックスなどでもよい。ただし、上述の他部材との絶縁の必要性に照らせば、絶縁材料からなるものが望ましい。
【００６１】
このように、支持ピンが電気的機能を果たさず、単にＬＥＤ照明器具を保持するためだけのものであって、他部材と完全に絶縁されていることから、本発明にかかるＬＥＤ照明器具は、ＬＥＤ照明器具自体に備えられている安定器と蛍光灯灯具の安定器とが重畳的に作用することにより火災事故などを引き起こすおそれがなく、極めて安全性の高いものとなる。また、この結果、電気用品安全法に基づく技術基準をクリアすることも可能となる。さらに、蛍光灯灯具の安定器自体が無駄に電力を消費してしまうという問題についてもこれを解消することができる。
【００６２】
また、支持ピンが電気的機能を果たさないことのさらなる効果として、既設の蛍光灯灯具に取り付けられていた蛍光灯をＬＥＤ照明器具に換装する際に、蛍光灯を点灯させるための既設の回路をいじる必要が全くなく、これをそのまま残しておくことができるということも挙げられる。従って、何かの都合でいったん換装したＬＥＤ照明器具を再び蛍光灯に戻す場合でも、単にＬＥＤ照明器具を蛍光灯に付け替えるだけでよいので、極めて簡単に再換装を行うことができる。
【００６３】
さらに、このように既設の回路をそのまま残しておくことで、例えば、図９に示すような二本の蛍光灯を取り付けるタイプの蛍光灯灯具０９７１の場合、一本は蛍光灯からＬＥＤ照明器具０９００に換装しつつ、もう一本は当面蛍光灯０９７２のまま残しておくという取付け方も可能となる。従って、予算の都合などにより徐々に蛍光灯からＬＥＤ照明器具への換装を行いたいといったニーズがある場合でも、これに対応することが可能となる。
【００６４】
既述のように、本発明のＬＥＤ照明器具は独立した器具としての機能を備えているので、単にエンドキャップ部を露出させたままテーブルの上に置いたり壁に立て掛けたりして使用することもできるし、エンドキャップ部の支持ピンにカバーをかぶせて使用することもできる。これらの場合には、エンドキャップ部は、カバーとも相まってＬＥＤランプ部を保護する役目や美観を保持する役目を果たす目的を有することになる。
【００６５】
一方、ＬＥＤ照明器具を既設の蛍光灯灯具に取り付けて使用する場合には、電源との電気的接続について既述のように様々な方法を用いることが可能な中で、好適な方法として電源からの電力線に接続された電源コネクターとＬＥＤ照明器具側に設けられた本体コネクター部を利用する方法が考えられる。この場合には、エンドキャップ部は、本体コネクター部から回路基板に至る電力の一部をその内部に収納してこれを保護するという目的も有することになる。以下、ＬＥＤ照明器具が本体コネクター部を備える構成の一例について説明する。
【００６６】
（本体コネクター部を有する構成例）
【００６７】
図５は、本体コネクター部を有するＬＥＤ照明器具の形状の一例を示す斜視図である。本図に示すＬＥＤ照明器具０５００は本体コネクター部０５３０を有する。本体コネクター部は、電源から電力を入力するためのものである。電源からの電力の入力は、典型的には一次電源からの電力の入力であり、天井や壁などの電灯線（電力線）から直に電力を取り入れるという意味である。このため、本図の例でも、本体コネクター部は、一次電源から天井や壁などを介して引き出された電力線０５５０に接続された電源コネクター０５６０を接続可能に構成されている。ただし、本体コネクター部は、例えば停電などの際にバッテリーから電力を入力するためのものでもあってよい。これは、本発明における電源一般に共通する事柄である。
【００６８】
本体コネクター部は、電源コネクターとともに一対のコネクターのそれぞれの一方を構成するものである。本体コネクター部と電源コネクターの接続のしかたは、両者が電気的に接続されるものであれば特に限定はないが、例えば、一方が一対のピンを備えた雌コネクターであり、もう一方がこれに対応するピン受け孔を備えた雄コネクターであるものが考えられる。この場合には、本体コネクター部が雌コネクターであり、電源コネクターが雄コネクターであることが望ましい。なぜなら、このようにすることで、取り付け作業時などにおける感電のおそれ等を防いで安全性を高めることができるとともに、わざわざＬＥＤ照明器具の本体側にコネクター用のスペースを設ける必要がないからである。
【００６９】
図１０は、本体コネクター部を有するＬＥＤ照明器具の形状の別の一例を示す斜視図である。本図に示す本体コネクター部と電源コネクターの接続のしかたは、エンドキャップ部１０２０ａの切欠き部１０２３に設けた本体コネクター部１０３０に対して、電源コネクター１０６０を略左右方向（概ね図に矢印Ａ方向又はＡ´方向で示す方向）から接続するようにしたものである。本図の例では、雄コネクターである電源コネクターを雌コネクターである本体コネクター部に対して太矢印ａに示すように挿入して接続するようになっている。本図の例のように電源コネクターを略左右方向から本体コネクター部に接続するようにした場合は、ＬＥＤ照明装置を蛍光灯灯具に取り付けた後に電源コネクターを本体コネクター部に接続させることができるため、ＬＥＤ照明装置の取付け作業を一層容易に行うことが可能となる。あるいは、図示は省略するが、エンドキャップ部の切欠き部に設けた本体コネクター部に対して、電源コネクターを略後方向から接続するようにしたものであってもよい。このような接続方法の場合は、ＬＥＤ照明装置を蛍光灯灯具に取り付けた後に電源コネクターを本体コネクター部に接続させることができるため、ＬＥＤ照明装置の取付け作業を一層容易に行うことが可能となる。なお、図５や図１０に示した本体コネクター部や電源コネクターの形状、寸法や具体的な配置はあくまで一例であり、雄コネクターと雌コネクター（好適には本体コネクター部が雌コネクター）を電気的に接続させることが可能なものであればどのようなものであってもよい。
【００７０】
前述のように、従来の蛍光灯型ＬＥＤ照明器具とは異なり、本発明ではＬＥＤ照明器具を既設の直管型蛍光灯灯具に取り付けて使用する場合でも、蛍光灯灯具のソケットからは電力が入力されないが、これに代えてこの本体コネクター部を介して電源から直接電力が入力される。このように電源から直接電力を入力するため、蛍光灯灯具に備えられた安定器を介さずに給電が行われることになる。従って、ＬＥＤランプ自体に備えられているＡＣ／ＤＣコンバーターと蛍光灯灯具の安定器が重畳的に作用することにより火災事故などを引き起こすおそれを回避することができる。また、それゆえにわざわざ蛍光灯灯具の安定器を取り外す必要もなくなる。
【００７１】
電源からの入力は、典型的には、ホット側、コールド側の双方からの電力線に接続された単一の電源コネクターに対して単一のソケットを接続することで行われる。このようにすることで、本体コネクター部の配置位置を一対のエンドキャップ部のうちの一方の近傍に備えるように構成することができる。これにより、例えば本体コネクター部をエンドキャップ部から引き出された電力線の先に取り付ける場合においては、エンドキャップ部から露出する電力線の長さを短くすることができるので、ＬＥＤ照明器具への換装作業が容易になり、また、見た目もすっきりさせることが可能となる。
【００７２】
本体コネクター部の形状には特に限定はなく、例えば、単にエンドキャップ部に設けた小孔から引き出された二本の電力線の先端にホット側、コールド側それぞれの端子を取り付けただけのものであってもよい。ただし、好適な一例としては、図１、２に示した例のように、エンドキャップ部の上端付近に切欠き部を設け、ここに本体コネクター部を構成する一対のピンを立設するようにしたものが考えられる。この場合には、本体コネクター部を電源コネクターに接続する際には、電源コネクターがエンドキャップ部の当該切欠き部にぴったりと嵌め込まれる。このため、切欠き部の形状、寸法と電源コネクターの形状、寸法は、互いにぴったりと嵌まり合う形状、寸法に設計される。さらに言えば、この形状は、電源コネクターをエンドキャップ部の切欠き部に嵌め込んだときに、ＬＥＤランプ部、エンドキャップ部、電源コネクターを合わせた全体の形状が直管蛍光ランプ形状になるようなもの（平たく言えば、電源コネクターは円筒形状のエンドキャップ部から一部を切り取った形状であるもの）が望ましい。
【００７３】
図５の例に即して言えば、電源コネクター０５６０の形状、寸法は、これをエンドキャップ部（本体コネクター部側）０５２０ａの上端付近に設けられた切欠き部０５２３に嵌め込んだときに、これらを合わせた形状がちょうど一個の円筒の形状になるような形状、寸法である。また、切欠き部に立設された本体コネクター部を構成するピン０５３０と、電源コネクターのピン受け孔０５６０ａは、電源コネクターと切欠き部をぴったりと嵌め込むことができる位置に設けられる。
【００７４】
なお、図示は省略したが、このピン受け孔には、電源からの電力線（天井等から電源コネクターに至る部分）０５５０に接続されたピン受け端子が配置され、本体コネクター部のピンをピン受け孔に挿入したときに、ピンがピン受け端子に接触することで、電源コネクターから本体コネクター部に電力供給がなされるようになっている。
【００７５】
エンドキャップ部、本体コネクター部（ピン）、電源コネクターの配置、形状、寸法をこのようなものにすれば、エンドキャップ部から露出する電力線を全くなくすことができるため、ＬＥＤ照明器具への換装作業がより一層容易になり、また、見た目もさらにすっきりさせることが可能となる。
【００７６】
図５に示した本体コネクターの形状はあくまで一例であって、これと異なる形状であってもよい。例えば、図示は省略するが、エンドキャップ部の切欠き部に設けた本体コネクター部に対して、電源コネクターを略左右方向から接続するようにしたものであってもよい。このような構成とした場合、ＬＥＤ照明器具を蛍光灯灯具に取り付けた後に電源コネクターを本体コネクター部に接続させることも可能となるため、ＬＥＤ照明器具の取付け作業を一層容易に行うことが可能となる。
【００７７】
（エンドキャップ部が互いに独立して回動可能に取り付けられる構成例）
【００７８】
エンドキャップ部は、互いに独立して回動可能に取り付けられている二つの部材から構成されていてもよい。
【００７９】
図６は、本実施例のＬＥＤランプ照明装置のエンドキャップ部の形状の一例を示す図であって、当該エンドキャップ部が、互いに独立して回動可能に取り付けられている二つの部材から構成されていることを示したものである。このうち、図６（ａ）は、かかるエンドキャップ部の斜視図であって、一対のエンドキャップ部のうちの一方のエンドキャップ部０６２０ａを示したものである（他方のエンドキャップ部はこれと左右対称に現れるため図示を省略した）。この図の例では、当該エンドキャップ部０６２０ａは、ＬＥＤランプ０６１０とほぼ同一の管径を有する円筒形状の部材（便宜上「円筒形状部材」と呼ぶ）０６２４と、当該円筒形状部材の外側（蛍光灯灯具のソケット側）に配置されるエンドキャップ部とほぼ同径の円盤形状の部材（便宜上「円盤形状部材」と呼ぶ）０６２５とからなる。円盤状部材の外側の面（蛍光灯灯具のソケット側の面）には本発明のＬＥＤ照明装置を直管型蛍光灯灯具に取り付けるための支持ピン０６２２が備えられる。円筒形状部材と円盤形状部材は互いに独立して回動可能に取り付けられる。本図の例では、両部材が、それぞれの中央部分に穿たれた小孔（本図には現れない）を貫通するリベット０６９１（本図ではリベットの頭頂部が現れている）によって互いに独立して回動可能なように半固定されている。
【００８０】
図６（ｂ）は、図６（ａ）のＡ−Ａ線断面図であり、円筒形状部材０６２５と円盤形状部材０６２６（ともに右上がり斜線で示す）が、それぞれの中央部分に穿たれた小孔０６２５ａ、０６２６ａを貫通するリベット０６９１（左上がり斜線で示す）によって互いに独立して回動可能なように半固定されている状態を示したものである。
【００８１】
なお、リベットはハトメ形状のものであってもよい。また、円筒形状部材と円盤形状部材のそれぞれの対向面のうち一方に雄ねじが形成され、他方に雌ねじが形成されて、これらが人の手で容易に回動させることができる程度に緩やかに嵌合させられているものであってもよい。さらに、円筒形状部材と円盤形状部材の取り付け部分の構造はこれらに限られることなく、要するに、両部材が互いに脱落することなく、互いに容易に回動可能に取り付けられる構造であれば、どのようなものであってもよい。
【００８２】
かかる構成によれば、ＬＥＤ照明装置を既設の蛍光灯灯具に設置する際に、ＬＥＤランプ部の向きをＬＥＤ素子が所望の照明方向に向くように保ったまま、エンドキャップ部の円盤形状部材の向きだけを蛍光灯灯具のソケットに合わせる動作を容易に行うことができるため、ＬＥＤ照明装置の取付け作業を簡単に行うことができる。
【００８３】
さらに、図６（ｂ）の例にも示されているように、円筒形状部材と円盤形状部材のそれぞれの対向する面に、互いにぴったりと噛み合う面を有する二つの略円盤状の部材０６２７を固定的に取り付けてもよい。当該部材が互いにぴったりと噛み合う面の具体的な形状としては、例えば、放射状に配置された波形形状や、円周上に配置されたディンプル形状のものなどが考えられる（図６（ｂ）に示したものは前者の例である）。また、それぞれの部材を円筒形状部材と円盤形状部材に固定するための接着などがしやすいように、固定面（当該部材の互いに噛み合う面とは反対側の面）は平らにしてもよい。
【００８４】
この場合、二つの略円盤状の部材の面の形状はほぼ同一の形状に形成される。このような部材を円筒形状部材と円盤形状部材のそれぞれに固定的に取り付けることにより、円筒形状部材と円盤形状部材が、単に互いに独立して回動可能となるだけでなく、蛍光灯灯具に取り付けた状態でエンドキャップ部の円筒形状部材およびこれに固定されたＬＥＤランプ部を回動させて任意の位置（角度）に保つことが可能となる。
【００８５】
かかる構成によれば、ＬＥＤランプ部に配置されているＬＥＤ素子を任意の方向にむけることが可能となる。即ち、ＬＥＤ素子は発光の方向にある程度の指向性を有している。このＬＥＤ素子は、例えば、二列のアレイを形成するように配置され、それぞれのアレイは垂直軸を挟んで斜め外側の方向（例えば４５度の方向）に向けて発光するように配置される。そうするとＬＥＤランプの真下部分はＬＥＤ素子からの光が直接向けられず、相対的に暗い状態となる。そこで、上記構成を利用してＬＥＤランプを回動させて、一方のアレイが真下方向を照らすような位置に保てば、真下を明るく照らすことが可能となる。この例のように、ＬＥＤ素子が任意の方向に向くようにＬＥＤランプを回動させることで、部屋の任意の方向を明るく照らすことが可能となる。
【００８６】
図６（ｃ）は、略円盤状の部材０６２７の形状の一例であって、図６（ｂ）の例と同様の放射状に配置された点対称の波形形状の一例を示したものである。本図に示す部材も、固定面（本図には現れない）は平らに形成されている例である。本図の例では、２４個の波形が形成されているため、円筒形状部材側に固定された当該部材を回動させながら１５度ごとの任意の角度で、円盤形状部材側の部材にぴったりと噛み合わせつつ固定することが可能となっている。このため、すべての波形が等角度でかつ同一の形状であることが望ましい。
【００８７】
<効果>
【００８８】
本実施例の発明により、安全上の問題や消費電力の無駄の問題を回避することができるとともに、蛍光灯からＬＥＤ照明器具に換装する場合にも比較的簡単な工事で設置することができ、設置費用も安価ですむ上に、それまでの蛍光灯のときの部屋の雰囲気を維持することができるといった長所を維持することができるＬＥＤ照明器具を提供することが可能となる。
【実施例２】
【００８９】
<概要>
【００９０】
本実施例のＬＥＤ照明器具は、実施例１のＬＥＤ照明器具と基本的に共通するが、前記エンドキャップ部の支持ピンにかぶせて支持ピンを保護する着脱自在な支持ピンカバーをさらに有することを特徴とするものである。
【００９１】
<構成>
【００９２】
（エンドキャップ部：支持ピンカバー）
【００９３】
支持ピンカバーは、エンドキャップ部の支持ピンにかぶせて支持ピンを保護する着脱自在な部材である。「支持ピンにかぶせる」とは、文字通り支持ピンだけにかぶせてもよいし、支持ピンを含むエンドキャップ部の端部付近全体にかぶせてもよく、両者を含むという意味である。これはＬＥＤ照明器具を独立した器具として用いる場合に支持ピンが露出した状態であると、支持ピンが周囲の壁や家具などに当たって折れたり曲がったりするおそれがあることから、これを保護するための構成である。また、支持ピンが露出していることで美観を損なうことを防ぐという目的にも資するものである。
【００９４】
図７は、本実施例のＬＥＤ照明器具に支持ピンカバーを取り付けた状態の形状の一例を示す図である。本図（ａ）に示す支持ピンカバー０７２８は、一方が開口した円筒形状（円筒容器形状）を有し、筒の内径がエンドキャップ部の外径の寸法にほぼ一致し、支持ピンを含むエンドキャップ部の端部付近全体にかぶせることができるようになっている。このように支持ピンカバーをエンドキャップ部の端部付近全体にかぶせることで、支持ピンを保護することができる。
【００９５】
なお、本図（ａ）の例では、支持ピンカバーが一対のエンドキャップ部のうち一方のみに被せられている例を示したが、両方にかぶせられるようになっていてもよい。
【００９６】
本図に示すエンドキャップ部の支持ピンカバーの形状はあくまで一例であり、エンドキャップ部にかぶせることで支持ピンを保護できるような形状であればその具体的形状は問わない。また、支持ピンカバーの材質も、支持ピンを保護し得る程度の強度を有するものであれば特に限定はないが、例えば、金属、ガラス、樹脂、セラミック、木材等が考えられる。
【００９７】
なお、支持ピンカバーは、当該カバーがＬＥＤ照明器具の保持台を兼ねていてもよい。図６（ｂ）は、かかる例である。なお、本図の保持台を兼ねる支持ピンカバーの形状もあくまで一例であり、エンドキャップ部にかぶせることで支持ピンを保護できるとともに、ＬＥＤ照明器具自体を保持できるような形状であればその具体的形状は問わない。
【００９８】
このように構成することで、ＬＥＤ照明器具を既設の蛍光灯灯具に取り付けるのではなく独立した器具として用いる場合に、支持ピンを露出させたまま使用することで支持ピンが折れたり曲がったりすることを防ぐことができ、あるいは美観を損なうことを防ぐことができる。
【００９９】
<効果>
【０１００】
本実施例の発明により、ＬＥＤ照明器具を独立した器具として用いる場合に、支持ピンを露出させたまま使用することで支持ピンが折れたり曲がったりすることを防ぐことができ、あるいは美観を損なうことを防ぐことができる。
【実施例３】
【０１０１】
<概要>
【０１０２】
本実施例のＬＥＤ照明器具は、実施例１または２のＬＥＤ照明器具と基本的に共通するが、直管型蛍光灯灯具で支持ピンが支持されない状態での落下防止のために自身を直管型蛍光灯灯具に連結するための連結ひもをさらに有することを特徴とするものである。
【０１０３】
<構成>
【０１０４】
（連結ひも）
【０１０５】
連結ひもは、直管型蛍光灯灯具で支持ピンが支持されない状態での落下防止のために自身を直管型蛍光灯灯具に連結するための部材である。
【０１０６】
図８は、本実施例のＬＥＤ照明器具の形状の一例を示す概念図であり、ＬＥＤ照明器具を蛍光灯灯具に取り付けた状態をＬＥＤ照明器具の長軸方向に平行な垂直面で切断した状態を示す垂直断面図である（ただし、あくまで概念図であるので、断面内の形状を正確に示したものではない。特に、ＬＥＤ照明器具の内部構造は省略して描かれている）。例えば、本図（ａ）に示すように、蛍光灯灯具０８７１の内部に連結ひも０８２９の一方を接着剤などで取り付け、当該連結ひもを蛍光灯灯具の天板などに穿たれた孔０８７１ａを通した上で、他の一方をＬＥＤ照明器具のエンドキャップ部０８２０の表面あるいは内部に接着剤などで取り付けるようにすればよい。そうすることで、図８（ｂ）に示すように何かの拍子で支持ピン０８２２が外れても、ＬＥＤ照明器具が当該連結ひもによって宙釣り状態でとどまり、落下を防止することができる。また、図８（ｃ）に示すように、ひもの途中に孔を貫通しない大きさのストッパー０８２９ａを固定的に取り付けることで、蛍光灯灯具内の連結ひもが完全に展張しない状態で、即ち、ＬＥＤ照明器具の落下の程度が小さい状態で止まるようにしてもよい。
【０１０７】
ストッパーの形状、素材等は問わないが、例えば、図８（ｃ）に示したような略円柱状（やや下に広がった形状の方が望ましい）のものが考えられる。図８（ｄ）はこれを拡大して示した斜視図である。本図に示すストッパー０８２９ａは、例えばゴムや軟性樹脂製の略円柱状（やや下に広がった形状の方が望ましい）の部材で、底面が蛍光灯灯具０８７１の孔０８７１ａの大きさよりもやや大きい部材を孔から押し込めるようにしたものである。これを広がった方を下にした状態で例えば蛍光灯灯具の天板などに穿たれた孔を下側（床側）から上側（天井側）方向（矢印方向）に通すと、孔を通過後にストッパーの底面が孔の大きさよりも大きいため、上から下へは貫通しなくなるので、ストッパーとしての役目を果たすことができる。同様の目的を達成できる形状や素材として、図示は省略するが、布やゴム製などの複数の花弁状の部材を束ねて一端をひもなどで縛ったものなどであってもよい。このストッパーは、天板表面に固定される必要はなく、連結ひもに固定されていることで、支持ピンが外れたときに一定の長さ以上に連結ひもが所定の長さ以上に孔から引き出されないようになっていれば足りる。
【０１０８】
あるいは、このような孔を設けることなく、蛍光灯灯具の天板などに連結ひもの一方を接着剤などで直接取り付けるようにしてもよい。
【０１０９】
「連結ひも」は、ひも状の部材で、ＬＥＤ照明器具を支えるだけの強度のあるものであれば、その材質、形状は問わない。従って、文字通りの天然繊維や合成繊維などのひものほか、金属製の鎖や針金などであってもよい。また、連結ひもは、電力供給回路を兼ねていてもよく、これにより落下防止のためだけにわざわざ別の部材を備える必要がなく、ＬＥＤ照明器具の構造を効率的なものとすることができる。この場合には、連結ひもの材質は当然ながら導電性を有するものに限定される。
【０１１０】
<効果>
【０１１１】
本実施例の発明により、直管型蛍光灯灯具で支持ピンが支持されない状態となってもＬＥＤ照明器具の落下を防止することができる。
【図１】
2012174362.tif 000003
【図２】
2012174362.tif 000004
【図３】
2012174362.tif 000005
【図４】
2012174362.tif 000006
【図５】
2012174362.tif 000007
【図６】
2012174362.tif 000008
【図７】
2012174362.tif 000009
【図８】
2012174362.tif 000010
【図９】
2012174362.tif 000011
【図１０】
2012174362.tif 000012